(57)【要約】【課題】身体の一部に装着して使用しても、ずり落ちにくいとともに、カバー体と接する身体の一部に掻痒感等を引き起こしにくいカバー体を提供すること。【解決手段】カバー体１は、身体の一部を覆うために用いられる。カバー体１は、身体の一部を覆うための筒状の本体部２と、環状の弾性部３と、滑り止め部４とを有する。弾性部３は、本体部２における少なくとも一方の開口端縁２１に沿って接続されている。滑り止め部４は、弾性部３における内周面３１に積層されている。滑り止め部４は、基布部４１と、基布部４１表面から突出する複数の突出糸部４２とを有する。複数の突出糸部４２は、両端部が基布部４１表面に固定されるとともに両端部間が基布部４１表面に固定されていない。【選択図】図６
0003223542.tif 000002
【実用新案登録請求の範囲】
【請求項１】
身体の一部を覆うために用いられるカバー体であって、
上記身体の一部を覆うための筒状の本体部と、
上記本体部における少なくとも一方の開口端縁に沿って接続された環状の弾性部と、
上記弾性部における内周面に積層された滑り止め部と、を有しており、
上記滑り止め部は、基布部と、上記基布部表面から突出する複数の突出糸部とを有しており、
複数の上記突出糸部は、両端部が上記基布部表面に固定されるとともに上記両端部間が上記基布部表面に固定されていない、
カバー体。
【請求項２】
複数の上記突出糸部の上記両端部は、上記滑り止め部の周方向に配列されている、請求項１に記載のカバー体。
【請求項３】
複数の上記突出糸部は、上記滑り止め部の幅方向および周方向に配列されている、請求項１または２に記載のカバー体。
【請求項４】
上記突出糸部は、伸縮性を備えている、請求項１から３のいずれか１項に記載のカバー体。
【請求項５】
上記滑り止め部と上記弾性部との間に空隙を有する、請求項１から４のいずれか１項に記載のカバー体。
【請求項６】
上記滑り止め部は、外側端縁が山折り状態とされて上記弾性部に縫合されている、請求項１から５のいずれか１項に記載のカバー体。
【請求項７】
上記滑り止め部の内側端縁は、上記弾性部の内側端縁と一緒に上記本体部の上記開口端縁に縫合されている、請求項１〜６のいずれか１項に記載のカバー体。
【請求項８】
上記身体の一部は、腕部、脚部、又は胴体部である、請求項１〜７のいずれか１項に記載のカバー体。
【考案の詳細な説明】
【技術分野】
【０００１】
本考案は、身体の一部を覆うために用いられるカバー体に関する。
【背景技術】
【０００２】
身体の一部を覆うために用いられるカバー体として、例えば、脚部や腕部などを覆う筒状のカバー体がある。しかしながら、このようなカバー体は、使用中にずり落ちる場合がある。
【０００３】
特許文献１に記載の脚部を覆うカバー体は、使用中にずり落ちることを防ぐため、滑り止めとして、カバー体の端部にシリコーンゴムを貼着している。
【先行技術文献】
【特許文献】
【０００４】
【特許文献１】特開２００５−５４３３２号公報
【考案の概要】
【考案が解決しようとする課題】
【０００５】
しかしながら、特許文献１に記載されたカバー体には以下の課題がある。
シリコーンゴムは、水分を吸収しにくい。それゆえ、シリコーンゴムを貼着したカバー体を身体の一部に装着して使用すると、発汗などによって、シリコーンゴムと接する身体の一部に掻痒感等を引き起こすおそれがある。
【０００６】
本考案は、かかる課題に鑑みてなされたものであり、身体の一部に装着して使用しても、ずり落ちにくいとともに、カバー体と接する身体の一部に掻痒感等を引き起こしにくいカバー体を提供しようとするものである。
【課題を解決するための手段】
【０００７】
本考案の一態様は、身体の一部を覆うために用いられるカバー体であって、
上記身体の一部を覆うための筒状の本体部と、
上記本体部における少なくとも一方の開口端縁に沿って接続された環状の弾性部と、
上記弾性部における内周面に積層された滑り止め部と、を有しており、
上記滑り止め部は、基布部と、上記基布部表面から突出する複数の突出糸部とを有しており、
複数の上記突出糸部は、両端部が上記基布部表面に固定されるとともに上記両端部間が上記基布部表面に固定されていない、
カバー体にある。
【考案の効果】
【０００８】
上記カバー体において、滑り止め部は、基布部及び基布部の表面に突出した複数の突出糸部を有する。また、滑り止め部は、環状の弾性部の内周面に積層されている。それゆえ、カバー体を身体の一部に装着して使用した際、弾性部が滑り止め部を内方に向かって締め付ける。それゆえ、滑り止め部と身体の表面とが密着することにより、カバー体のずり落ちを抑えるとともに、滑り止め部自体が汗を吸収し、身体の表面を乾燥させることができる。その結果、カバー体は、ずり落ちにくいとともに、身体における掻痒感等を引き起こしにくい。
【０００９】
上記態様によれば、身体の一部に装着して使用しても、ずり落ちにくいとともに、カバー体と接する身体の一部に掻痒感等を引き起こしにくいカバー体を提供することができる。
【図面の簡単な説明】
【００１０】
【図１】図１は、実施例１における、カバー体の斜視図である。
【図２】図２は、実施例１における、カバー体を脚部に装着した使用状態を示す斜視図である。
【図３】図３は、実施例１における、カバー体の滑り止め部周辺の拡大平面図である。
【図４】図４は、実施例１における、カバー体をＺ方向における上側から見た平面図である。
【図５】図５は、図３におけるV−V線矢視断面相当のカバー体の拡大断面図である。
【図６】図６は、図４におけるVI−VI線矢視断面相当のカバー体の断面図である。
【図７】図７は、実施例２における、カバー体を腕部に装着した使用状態を示す斜視図である。
【図８】図８は、実施例３における、カバー体を胴体部から脚部にわたって装着した使用状態を示す斜視図である。
【図９】図９は、実施例４における、カバー体を胴体部に装着した使用状態を示す斜視図である。
【考案を実施するための形態】
【００１１】
複数の上記突出糸部の上記両端部は、上記滑り止め部の周方向に配列されている構成とすることができる。この構成によれば、カバー体が装着された身体の一部を動かす際、カバー体の長手方向に伸縮する突出糸部を、両方の端部によって支えることができる。その結果、身体の一部に装着したカバー体は、一層ずり落ちにくい。
【００１２】
また、複数の上記突出糸部は、上記滑り止め部の幅方向および周方向に配列されている構成とすることができる。この構成によれば、突出糸部と身体の一部との接触面積を大きくしやすい。その結果、身体の一部に装着したカバー体は、一層ずり落ちにくい。
【００１３】
また、上記突出糸部は、伸縮性を備えている構成とすることができる。この構成によれば、突出糸部と身体の一部との接触面積を大きくしやすい。その結果、身体の一部に装着したカバー体は、一層ずり落ちにくい。
【００１４】
また、上記滑り止め部と上記弾性部との間に空隙を有する構成とすることができる。この構成によれば、身体の一部を動かすことによって弾性部の位置がずれたとしても、滑り止め部は、弾性部に従ってずれにくい。その結果、身体の一部に装着したカバー体は、一層ずり落ちにくい。
【００１５】
また、上記滑り止め部は、外側端縁が山折り状態とされて上記弾性部に縫合されている構成とすることができる。この構成によれば、外側端縁の先端部を外部に露出させることなく、滑り止め部と弾性部とを縫合することができる。その結果、滑り止め部の外側端縁がほつれにくい。また、カバー体の美観性を向上させることができる。
【００１６】
また、上記滑り止め部の内側端縁は、上記弾性部の内側端縁と一緒に上記本体部の上記開口端縁に縫合されている構成とすることができる。この構成によれば、滑り止め部と、弾性部と、本体部とを同時に縫合できるため、カバー体の製造工程を簡素化しやすい。その結果、カバー体の製造コストを低減することができる。
【００１７】
また、上記身体の一部は、腕部、脚部、又は胴体部とすることができる。この構成によれば、本体部を構成する素材を、紫外線遮蔽性が優れた生地や、保温性が優れた生地等に変更することにより、例えば、脚部や腕部は日焼け防止、胴体部は保温を目的としたカバー体とすることができる。その結果、カバー体を多目的で使用することができる。なお、紫外線遮蔽性が優れた生地は、例えば、酸化チタン等の紫外線遮蔽剤を練り込んだ繊維から形成される生地とすることができる。また、保温性が優れた生地は、例えば、フリース生地やウール混生地等とすることができる。
【実施例】
【００１８】
（実施例１）
身体の一部を覆うために用いられるカバー体の実施例について、図１〜図６を参照して説明する。
本実施例のカバー体１は、図２に例示されるように、身体６の一部を覆うために用いられる。カバー体１は、図１に例示されるように、身体６の一部を覆うための筒状の本体部２と、環状の弾性部３と、滑り止め部４とを有する。弾性部３は、本体部２における少なくとも一方の開口端縁２１に沿って接続されている。滑り止め部４は、図５、図６に例示されるように、弾性部３における内周面３１に積層されている。また、滑り止め部４は、基布部４１と、基布部４１表面から突出する複数の突出糸部４２とを有する。複数の突出糸部４２は、図５に例示されるように、両端部４２１が基布部４１表面に固定されるとともに両端部４２１間が基布部４１表面に固定されていない。以下、これを詳説する。
【００１９】
カバー体１が覆う身体６の一部は、例えば、腕部６３（図７参照）、脚部６０（図２参照）、又は胴体部６６（図９参照）とすることができる。
【００２０】
本例において、カバー体１が装着される身体６の一部は、図２に例示されるように、脚部６０である。
【００２１】
カバー体１は、一方の開口端縁２１から脚部６０を挿通することにより、脚部６０に装着される。本実施例のカバー体１は、図２に例示されるように、大腿部６１から下腿部６２にかけて、脚部６０を覆っている。なお、本明細書において、カバー体１の長手方向であって、装着の際に身体６の一部を挿通する方向と平行な方向を、適宜、Ｚ方向という。
【００２２】
本体部２は、図１に例示されるように、カバー体１の大部分を占めている。本体部２は、２つの開口端縁２１を有する。また、カバー体１は、図２に例示されるように、本体部２の開口端縁２１が、大腿部６１と下腿部６２とに位置するよう寸法設計されている。
【００２３】
本体部２は、図１に例示されるように、カバー体１が装着される身体６の一部の形状に合わせるように形成されている。つまり、本例において、本体部２は、脚部６０の形状に合わせて形成されている。
【００２４】
本例において、本体部２は、伸縮性を有する生地からなる。本体部２を構成する生地は、例えば、ポリエステル繊維、ポリアミド繊維、ポリウレタン繊維、又はこれらの繊維の混合繊維によって形成される。
【００２５】
身体６の一部に装着していない状態のカバー体１における本体部２の内径は、身体６の一部に装着した状態のカバー体１における本体部２の内径よりも小さい。それゆえ、カバー体１を脚部６０に装着した際、本体部２は、脚部６０に密着するように配置される。
【００２６】
図１、図２に例示されるように、本体部２の開口端縁２１の一方には、弾性部３と滑り止め部４とが接続されている。また、他方の開口端縁２１には、弾性部３と滑り止め部４とは接続されていない。本例において、弾性部３と滑り止め部４とが接続された開口端縁２１は、カバー体１を脚部６０に装着した際に大腿部６１に位置する開口端縁２１である。また、弾性部３と滑り止め部４とが接続されていない開口端縁２１は、下腿部６２に位置する開口端縁２１である。また、本例において、大腿部６１に位置する開口端縁２１の内径は、下腿部６２に位置する開口端縁２１の内径よりも大きい。
なお、Ｚ方向において、弾性部３と滑り止め部４とが接続された開口端縁２１がある側を上側、その反対側であって、弾性部３と滑り止め部４とが接続されていない開口端縁２１がある側を下側という。
【００２７】
図２に例示されるように、大腿部６１に位置する本体部２の開口端縁２１には、その開口端縁２１の上側に弾性部３が接続されている。弾性部３は、ゴム弾性を有する。弾性部３は、ゴム弾性により、伸縮性を有する。弾性部３は、Ｚ方向よりも、カバー体１の周方向に伸縮しやすい。また、弾性部３のＺ方向における幅は、弾性部３の厚み方向における幅よりも大きい。本例において、弾性部３は、テープ状のゴム弾性体である。
【００２８】
身体６の一部に装着していない状態のカバー体１における弾性部３の内径は、身体６の一部に装着した状態のカバー体１における弾性部３の内径よりも小さい。それゆえ、カバー体１を脚部６０に装着した際、弾性部３は、滑り止め部４を内方に向かって締め付けることができる。つまり、弾性部３は、滑り止め部４を脚部６０に向かって締め付けることができる。
【００２９】
弾性部３の内周面３１には、図５、図６に例示されるように、滑り止め部４が積層されている。滑り止め部４は、弾性部３の内周面３１の全体にわたって積層されている。滑り止め部４は、基布部４１と、複数の突出糸部４２とを有する。滑り止め部４は、伸縮性を有する。また、滑り止め部４は、弾性部３と別体である。
【００３０】
本例において、基布部４１は、周知の技術を用いて、繊維を織ることで形成される生地である。基布部４１は、伸縮性を有する。基布部４１は、Ｚ方向よりも、カバー体１の周方向に伸縮しやすい。また、基布部４１は、速乾性を有する。基布部４１は、例えば、ポリエステル繊維によって形成される。
【００３１】
基布部４１は、水分を吸収することができる。なお、本例において、ＪＩＳＬ１９０７規格に規定される滴下法による滑り止め部４の吸水速度は、６５秒以下である。
【００３２】
複数の突出糸部４２は、図４、図５に例示されるように、カバー体１の内側に向かって弧状に突出している。突出糸部４２は、伸縮性を備えている。突出糸部４２は、例えば、ポリエステルからなる。
【００３３】
複数の突出糸部４２の両端部４２１は、図３、図５に例示されるように、滑り止め部４の周方向に配列されている。
【００３４】
突出糸部４２の端部４２１は、図３に例示されるように、滑り止め部４の幅方向にも配列されている。つまり、突出糸部４２の端部４２１は、Ｚ方向にも配列している。
【００３５】
滑り止め部４の周方向に隣り合う２つの突出糸部４２同士は、図５に例示されるように、互いに近い側の端部４２１において、内側糸部４２２によって接続されている。内側糸部４２２は、基布部４１内に配置されている。また、内側糸部４２２は、後述する滑り止め部４と弾性部３との間の空隙５には、露出していない。なお、突出糸部４２と内側糸部４２２とは、伸縮性を有する同様の素材からなる。突出糸部４２と内側糸部４２２とは、一体的に形成されている。
【００３６】
複数の突出糸部４２は、図３に例示されるように、滑り止め部４の幅方向および周方向に配列されている。
【００３７】
滑り止め部４は、図３に例示されるように、複数の突出糸部４２が滑り止め部４の幅方向に配列してなる糸部配列単位４３を有する。言い換えると、糸部配列単位４３において、複数の突出糸部４２は、Ｚ方向に配列している。
【００３８】
複数の糸部配列単位４３は、互いに離間した状態により、滑り止め部４の周方向に配列されている。つまり、図３に例示されるように、隣り合う２つの糸部配列単位４３において、一方の糸部配列単位４３を構成する突出糸部４２は、Ｚ方向において、他方の糸部配列単位４３を構成する突出糸部４２と重ならない。
【００３９】
糸部配列単位４３において、一方の突出糸部４２の両端部４２１を結ぶ線分は、Ｚ方向に配列している他方の突出糸部４２の両端部４２１を結ぶ線分と交差していない。つまり、糸部配列単位４３を構成する突出糸部４２は、Ｚ方向において、一方の突出糸部４２の両端部４２１の間に、他方の突出糸部４２の端部４２１が位置しない。
【００４０】
図３に例示されるように、隣接する２つの糸部配列単位４３の間には、基布部４１の表面が露出している。つまり、隣接する２つの糸部配列単位４３を離間するように、Ｚ方向に沿って、基布部４１の表面が露出している。
【００４１】
滑り止め部４は、図６に例示されるように、外側端縁４４が山折り状態とされて弾性部３に縫合されている。滑り止め部４の外側端縁４４と弾性部３とは、それぞれの厚み方向において、互いに圧接するように、縫合糸７によって縫合されている。
【００４２】
言い換えると、滑り止め部４の外側端縁４４は、図６に例示されるように、縫合糸７によって弾性部３に縫合される先端部４４１と、山折り状態となっている山折り部４４２とを有する。そして、滑り止め部４の主要部４６と、外側端縁４４の先端部４４１とは、外側端縁４４の山折り部４４２を介して繋がっている。
【００４３】
また、滑り止め部４の内側端縁４５は、図６に例示されるように、弾性部３の内側端縁３２と一緒に本体部２の開口端縁２１に縫合されている。つまり、本体部２の開口端縁２１と、弾性部３の内側端縁３２との間に、滑り止め部４の内側端縁４５が挟まれており、それぞれが厚み方向において互いに圧接するように、縫合糸７によって縫合されている。また、縫合糸７によって縫合されることにより、図３、図６に例示されるように、本体部２の開口端縁２１の内周側に縫合部７０が形成されている。また、本体部２における上側の開口端縁２１の先端部２１１は、図６に例示されるように、縫合部７０が形成されたことによって、外部に露出していない。つまり、上側の開口端縁２１の先端部２１１は、縫合部７０と滑り止め部４とによって囲われている。
【００４４】
また、カバー体１は、図５、図６に例示されるように、滑り止め部４と弾性部３との間に空隙５を有する。上記のように、カバー体１は、滑り止め部４の外側端縁４４と弾性部３とが縫合される。さらに、カバー体１は、滑り止め部４の内側端縁４５と、弾性部３と、本体部２とが縫合される。これにより、カバー体１には、滑り止め部４と弾性部３とに囲われた閉じられた空間である空隙５が形成される。そして、滑り止め部４は、空隙５を介して、弾性部３の内周面３１に積層されている。
【００４５】
次に、本実施例の作用効果につき説明する。
本例のカバー体１において、滑り止め部４は、基布部４１の表面に突出した複数の突出糸部４２を有する。また、滑り止め部４は、環状の弾性部３の内周面３１に積層されている。それゆえ、カバー体１を身体６の一部に装着して使用した際、弾性部３が滑り止め部４を内方に向かって締め付ける。それゆえ、滑り止め部４と身体６の表面とが密着することにより、カバー体１のずり落ちを抑えるとともに、滑り止め部４自体が汗を吸収し、身体６の表面を乾燥させることができる。その結果、カバー体１は、ずり落ちにくいとともに、掻痒感等を引き起こしにくい。
【００４６】
ここで、実施例１のカバー体１とは異なり、弾性部３と滑り止め部４とが別体ではなく、一体で形成されている場合を想定する。この場合、カバー体１の製造時において、弾性部３の締め付け力を容易に変更することが困難となる。それゆえ、滑り止め部４と弾性部３とが一体的に形成されている場合、滑り止め部４と身体６の表面との密着性を調整しにくく、ずり落ちが生じるおそれがある。
【００４７】
一方、本例のカバー体１は、弾性部３と滑り止め部４とが別体である。それゆえ、カバー体１の製造時において、弾性部３の締め付け力を変更することが容易となる。その結果、滑り止め部４と身体６の表面との密着性を調整しやすい。
【００４８】
複数の突出糸部４２の両端部４２１は、滑り止め部４の周方向に配列されている。それゆえ、カバー体１が装着された身体６の一部を動かす際、カバー体１の長手方向に伸縮する突出糸部４２を、両方の端部４２１によって支えることができる。その結果、身体６の一部に装着したカバー体１は、一層ずり落ちにくい。
【００４９】
複数の突出糸部４２は、滑り止め部４の幅方向および周方向に配列されている。それゆえ、突出糸部４２と身体６の一部との接触面積を大きくしやすい。その結果、身体６の一部に装着したカバー体１は、一層ずり落ちにくい。
【００５０】
突出糸部４２は、伸縮性を備えている。それゆえ、突出糸部４２と身体６の一部との接触面積を大きくしやすい。その結果、身体６の一部に装着したカバー体１は、一層ずり落ちにくい。
【００５１】
滑り止め部４は、外側端縁４４が山折り状態とされて弾性部３に縫合されている。それゆえ、外側端縁４４の先端部４４１を外部に露出させることなく、滑り止め部４と弾性部３とを縫合することができる。その結果、滑り止め部４の外側端縁４４がほつれにくい。また、カバー体１の美観性を向上させることができる。
【００５２】
滑り止め部４の内側端縁４５は、弾性部３の内側端縁３２と一緒に本体部２の開口端縁２１に縫合されている。それゆえ、滑り止め部４と、弾性部３と、本体部２とを同時に縫合できるため、カバー体１の製造工程を簡素化しやすい。その結果、カバー体１の製造コストを低減することができる。
【００５３】
カバー体１は、滑り止め部４と弾性部３との間に空隙５を有する。それゆえ、身体６の一部を動かすことによって弾性部３の位置がずれたとしても、滑り止め部４は、弾性部３に従ってずれにくい。その結果、身体６の一部に装着したカバー体１は、一層ずり落ちにくい。
【００５４】
滑り止め部４の外側端縁４４は、山折り部４４２を有する。それゆえ、カバー体１は、滑り止め部４と弾性部３との間に空隙５が形成されやすい。その結果、身体６の一部を動かすことによって弾性部３の位置がずれたとしても、空隙５があることにより、滑り止め部４は、弾性部３に従ってずれにくい。
【００５５】
カバー体１を構成する滑り止め部４、弾性部３、及び本体部２は、伸縮性を有する。それゆえ、カバー体１は、身体６の曲げ伸ばし等の動作に対する追従性が高い。その結果、身体６の一部に装着したカバー体１は、一層ずり落ちにくい。また、カバー体１は、身体６の一部に装着しやすいとともに、身体６の一部から取り外しやすい。
【００５６】
上記身体６の一部は、腕部、脚部６０、又は胴体部とすることができる。それゆえ、本体部２を構成する素材を、紫外線遮蔽性が優れた生地や、保温性が優れた生地等に変更することにより、例えば、脚部６０や腕部は日焼け防止、胴体部は保温を目的としたカバー体１とすることができる。その結果、カバー体１を多目的で使用することができる。なお、紫外線遮蔽性が優れた生地は、例えば、酸化チタン等の紫外線遮蔽剤を練り込んだ繊維から形成される生地とすることができる。また、保温性が優れた生地は、例えば、フリース生地やウール混生地等とすることができる。
【００５７】
滑り止め部４は、複数の糸部配列単位４３を有する。それゆえ、基布部４１の表面において、突出糸部４２を、より多く配列しやすい。その結果、カバー体１は、身体６の一部に装着して使用しても、一層ずり落ちにくい。
【００５８】
以上のように、本実施例によれば、身体６の一部に装着して使用しても、ずり落ちにくいとともに、カバー体１と接する身体６の一部に掻痒感等を引き起こしにくいカバー体１を提供することができる。
【００５９】
（実施例２）
本実施例のカバー体１は、図７に例示されるように、身体６の一部である腕部６３を覆うアームカバーの実施例である。
【００６０】
本実施例のカバー体１は、図７に例示されるように、上腕部６４から手首６５にかけて、腕部６３を覆っている。また、カバー体１は、本体部２の開口端縁２１が、上腕部６４と手首６５に位置するよう寸法設計されている。
【００６１】
上腕部６４に位置する開口端縁２１には、弾性部３と、滑り止め部４とが接続されている。また、手首６５に位置する開口端縁２１には、弾性部３と、滑り止め部４とは、接続されていない。また、本例において、上腕部６４に位置する上側の開口端縁２１の内径は、手首６５に位置する下側の開口端縁２１の内径よりも大きい。
その他の構成及び作用効果は、実施例１と同様である。
【００６２】
（実施例３）
本実施例のカバー体１は、図８に例示されるように、身体６の一部である胴体部６６から脚部６０にわたって覆うカバー体１の実施例である。
【００６３】
本実施例のカバー体１は、図８に例示されるように、本体部２が二股に分かれている。二股に分かれている本体部２の一部は、それぞれ脚部６０を覆っている。
【００６４】
本体部２は、３つの開口端縁２１を有する。カバー体１は、３つの開口端縁２１のうち、一方が胴体部６６に位置するよう寸法設計されている。また、カバー体１は、残りの２つの開口端縁２１が、それぞれ脚部６０の下腿部６２に位置するよう寸法設計されている。
【００６５】
胴体部６６に位置する開口端縁２１には、弾性部３と、滑り止め部４とが接続されている。また、下腿部６２に位置する２つの開口端縁２１には、弾性部３と、滑り止め部４とは、接続されていない。また、本例において、胴体部６６に位置する上側の開口端縁２１の内径は、下腿部６２に位置する下側の開口端縁２１の内径よりも大きい。
その他の構成及び作用効果は、実施例１と同様である。
【００６６】
（実施例４）
本実施例のカバー体１は、図９に例示されるように、身体６の一部である胴体部６６を覆うカバー体１の実施例である。
【００６７】
頭部に近い側に位置する上側の開口端縁２１には、弾性部３と、滑り止め部４とが接続されている。また、脚部６０に近い側に位置する下側の開口端縁２１には、弾性部３と、滑り止め部４とは、接続されていない。また、本例において、双方の開口端縁２１の内径は、略同一である。
その他の構成及び作用効果は、実施例１と同様である。
【００６８】
上記実施例１〜４においては、本体部２の複数の開口端縁２１のうち、一方の開口端縁２１に弾性部３と滑り止め部４とが接続されている。ただし、弾性部３と滑り止め部４とは、カバー体１において、複数の開口端縁２１に接続されていてもよい。
【００６９】
本考案は上記各実施形態に限定されるものではなく、その要旨を逸脱しない範囲において種々の実施形態に適用することが可能である。
【符号の説明】
【００７０】
１  カバー体
２  本体部
２１  開口端縁
３  弾性部
３１  内周面
４  滑り止め部
４１  基布部
４２  突出糸部
４２１  端部
６  身体
【図１】
0003223542.tif 000003
【図２】
0003223542.tif 000004
【図３】
0003223542.tif 000005
【図４】
0003223542.tif 000006
【図５】
0003223542.tif 000007
【図６】
0003223542.tif 000008
【図７】
0003223542.tif 000009
【図８】
0003223542.tif 000010
【図９】
0003223542.tif 000011